(57)【要約】【課題】ガス滅菌が可能で、且つ塗布面に触れずに消毒液を塗布面部分に含浸させることができ、その含浸量を使用者が任意に調節可能な外用液剤塗布具の提供を目的とする。【解決手段】消毒液塗布具１０（外用液剤塗布具）は消毒液１９を充密状態で収容する溶液タンク部１１と頭部２１を備える。溶液タンク部１１の開口部１１ｄはシール材１８により封止されている。頭部２１は、引き金部２５ｂを備えた外筒状首部２２と、塗布面部材２９を有する。引き金部２５ｂを筒状頚部１４の軸方向Ｋに沿って引くと、外筒状首部２２内部の突き刺し部２５ｃがシール材１８を穿通し、また筒状頚部１４の凸部１６が外筒状首部２２の孔部２５ｄに嵌合され、溶液タンク部１１に対して頭部２１が固定される。溶液タンク部１１の胴体部１７は少なくとも一部が軟質であり、押圧により消毒液吐出量を調整できる。【選択図】図３
2010005003.tif 000002
【特許請求の範囲】
【請求項１】
外用液剤を塗布する際に用いる外用液剤塗布具であって、
外用液剤を密封状態で収容する溶液タンク部と、該溶液タンク部に取り付けられる頭部とを備え、
前記溶液タンク部は、その開口部がシール材により封止された筒状頚部と、この筒状頚部に連なる胴体部とを有し、該胴体部が保形性を有すると共にその少なくとも一部が可撓性を示し、
前記頭部は、外用液剤が浸潤可能な塗布面部材と、この塗布面部材を支持すると共に前記筒状頚部に嵌装される外筒状首部とを有し、
この外筒状首部には、該外筒状首部を前記筒状頚部の軸方向にスライドさせるための引き金部が設けられ、また該外筒状首部の内腔部には、前記筒状頚部から前記塗布面部材に向かう貫通孔が形成されると共に、前記筒状頚部における前記シール材に対向した突き刺し部が設けられ、
前記筒状頚部と前記外筒状首部には、対応して形成された位置決め部が設けられてなり、
前記引き金部を前記筒状頚部の軸方向に沿って引くことにより、前記突き刺し部が前記シール材を穿通すると共に、前記位置決め部によって前記溶液タンク部に対して前記頭部が固定されるものであることを特徴とする外用液剤塗布具。
【請求項２】
前記筒状頚部と前記胴体部が一体に構成され、この筒状頚部と胴体部の全部が可撓性を示す請求項１に記載の外用液剤塗布具。
【請求項３】
前記筒状頚部の軸が、前記胴体部の軸に対して傾斜したものである請求項１または２に記載の外用液剤塗布具。
【請求項４】
前記頭部における前記外筒状首部は、前記突き刺し部と前記引き金部を備えた首本体部材と、前記塗布面部材を支持する支持部材と、前記塗布面部材を前記支持部材に固定させる固定部材とを有するものである請求項１〜３のいずれか１項に記載の外用液剤塗布具。
【請求項５】
前記首本体部材と前記支持部材と前記固定部材がヒンジを介して連接され、これらが同一の素材で一体に構成されたものである請求項４に記載の外用液剤塗布具。
【請求項６】
前記溶液タンク部に、前記外用液剤として消毒液を１〜２００ｍＬ収容したものである請求項１〜５のいずれか１項に記載の外用液剤塗布具。
【発明の詳細な説明】
【技術分野】
【０００１】
本発明は、外用液剤を皮膚に塗布する際に用いる外用液剤塗布具に関するものであり、例えば皮膚面の消毒にあたって消毒液を塗布する際等に用いられる塗布具に関するものである。
【背景技術】
【０００２】
例えば手術をするに際しては、切開箇所からの感染予防の目的で、予め切開付近の皮膚を広く消毒することが行われている。この様に広範囲に消毒する場合には、専ら刷毛で消毒液を塗ったり、綿球に消毒液を染み込ませてピンセットを用いて塗ったりする方法が採られている。
【０００３】
しかしより簡便に消毒操作を行い得るようにする観点から、消毒液と塗布具を組み合わせた外用液剤塗布具（消毒液塗布具）が提案されている。
【０００４】
この消毒液塗布具としては、綿棒の柄の部分を筒状に構成し、この筒内部に消毒液を入れて筒開口近傍をフィルム状密閉材により封止すると共に、これに向かった尖端部を備えた栓体を設けた液入り綿棒が提案されている（従来例[1]）（例えば特許文献１参照）。この使用にあたっては、栓体をスライドさせて上記密封材を破り、内部の消毒液を綿体に含浸させる。
【０００５】
しかしこの従来例[1]の液入り綿棒では、密閉材を破る操作において、綿棒先端の綿体を手で持って栓体をスライドさせることになるので、綿体が手の雑菌に汚染される虞がある。また綿体への消毒液の含浸は綿体に自然に滲むに任せており、使用者がその含浸量を任意に調節することができない。このため患者の皮膚上で液だれしたり、或いは消毒液含浸量が少なくて十分に塗布できなかったりする虞がある。
【０００６】
また他の例として、図８（消毒セットの一例を示す斜視図）に示すように、綿棒６１と消毒液６２を、台紙６４と樹脂フィルム６３のラミネートの間に封入したものが提案されている（従来例[2]）。この消毒セットは、綿棒封入空間６６と消毒液封入空間６７の間部分６５の接着を他の部分に比べて弱いものとし、綿棒６１を消毒液６２側に突き刺すように進めることで、上記間部分６５の接着を剥がし、綿棒６１の綿体６１ａに消毒液６２を染み込ませるように構成されている。そしてこの消毒液６２の染み込んだ綿棒６１を包装材（台紙６４と樹脂フィルム６３）から取り出して使用する。
【０００７】
上記従来例[2]においては、綿体６１ａを手で触れることがないので、清潔を保つことができる。
【０００８】
ところが、滅菌が要求される衛生材料については製造の終盤でガス滅菌を行うのが通常であるところ、従来例[2]の消毒セットをガス滅菌しようとすれば、その減圧時に、綿棒封入空間６６や消毒液封入空間６７の空気の圧力によって上記間部分６５が剥がれてしまい、両空間６６，６７が貫通してしまう懸念がある。このため、ガス滅菌を行わずに提供せざるを得ないという問題がある。因みに「ガス滅菌」とは、気体を媒体として行う滅菌のことであり、使用するガスとしてはエチレンオキサイド等の殺菌性ガスの他、飽和水蒸気やガス状プラズマ等が挙げられる。
【０００９】
他方、特許文献２には溶液供給式しみとり用具が示されており、該用具は先端に回転式スポンジを備え、これに中継用中綿を介して円筒状溶液タンクが配置されたものであって、上記溶液タンクの一方端に蓋が設けられ、上記中継用中綿のケースに上記蓋に対向した竹槍状の突起部分が形成されたものが提案されている（従来例[3]）。使用にあたっては、上記突起部分で蓋を突くことで蓋を斜め状態にして開け、タンク内の液を中綿に染み込ませ、続いて上記スポンジに染み込ませる構成となっている。
【００１０】
この従来例[3]においては、中継用中綿のケースを持って溶液タンクに向かってスライドさせれば、突起部分で蓋を開けることが可能であり、先端のスポンジ（塗布面）に触れずに済む。しかし従来例[3]においても、スポンジへの溶液の含浸量は、中継用中綿中の空気の置換や毛細管現象による吸引によって決まるため、使用者が任意に調節することができない。加えてタンク内の溶液は中継用中綿を経た後に先端スポンジに到達することになるので、先端スポンジの溶液含浸量が少なくなりがちであり、十分に塗布できない懸念がある。なお中継用中綿の部分を短くすれば、先端スポンジへの溶液含浸が良好に行われると考えられるものの、この場合は蓋を開ける際に先端スポンジを手で持ってしまうことになりかねず、先端スポンジが手の雑菌に汚染される虞がある。
【特許文献１】特開２００４−３３７２８４号公報
【特許文献２】特開２００３−２２１７７３号公報
【発明の開示】
【発明が解決しようとする課題】
【００１１】
以上のように液を含浸塗布するためのものが種々提案されているものの、外用液剤塗布具として満足できるものではなかった。
【００１２】
そこで本発明においては、ガス滅菌が可能であって、且つ塗布面に手を触れることなく消毒液等の外用液剤を塗布面部分に含浸させることができ、加えてこの含浸量を使用者が任意に調節することのできる外用液剤塗布具を提供することを目的とする。
【課題を解決するための手段】
【００１３】
以下、本発明の理解を容易にする為、後述の図面で用いた符号を適宜付して説明するが、本発明は図示例に限定されるものではない。
【００１４】
本発明に係る外用液剤塗布具（消毒液塗布具１０）は、外用液剤を塗布する際に用いるものであって、外用液剤（消毒液１９）を密封状態で収容する溶液タンク部１１と、該溶液タンク部１１に取り付けられる頭部２１とを備え、
前記溶液タンク部１１が、その開口部１１ｄがシール材１８により封止された筒状頚部１４と、この筒状頚部１４に連なる胴体部とを有し、該胴体部が保形性を有すると共にその少なくとも一部が可撓性を示し、
前記頭部２１が、外用液剤が浸潤可能な塗布面部材２９と、この塗布面部材２９を支持すると共に前記筒状頚部１４に嵌装される外筒状首部２２とを有し、この外筒状首部２２には、該外筒状首部２２を前記筒状頚部１４の軸方向にスライドさせるための引き金部２５ｂが設けられ、また該外筒状首部２２の内腔部には、前記筒状頚部１４から前記塗布面部材２９に向かう貫通孔が形成されると共に、前記筒状頚部１４における前記シール材１８に対向した突き刺し部２５ｃが設けられ、
前記筒状頚部１４と前記外筒状首部２２には、対応して形成された位置決め部（例えば凸部１６と孔部２５ｄ）が設けられてなり、
前記引き金部２５ｂを前記筒状頚部１４の軸方向に沿って引くことにより、前記突き刺し部２５ｃが前記シール材１８を穿通すると共に、前記位置決め部によって前記溶液タンク部１１に対して前記頭部２１が固定されるものであることを特徴とする。
【００１５】
上記の様に本発明の外用液剤塗布具には引き金部２５ｂが設けられ、これを引くことで溶液タンク部１１のシール材１８を穿通できるものであり、つまり塗布面（塗布面部材２９の表面）に手を触れることなくシール材１８を開けて外用液剤（例えば消毒液）を出すことができる。
【００１６】
ここで引き金部２５ｂを引く際の支えとなるべき溶液タンク部１１は、上記の如くその少なくとも一部が可撓性を示すものであるが、該溶液タンク部１１は外用液剤を密封状態で収容していることから、その内圧によって形がしっかりとし、よって引き金部２５ｂを引いたときにその支えとなり得る。なお特に好ましい態様は、溶液タンク部１１に外用液剤を充密状態で収容した場合であり、この場合は、内部の液圧によって形が一層しっかりとするから、引き金部２５ｂを引くときに溶液タンク１１がよりしっかりとした支えになる。
【００１７】
また引き金部２５ｂを引く方向が筒状頚部１４の軸方向に沿っており、軸方向は横方向に比べて強度が高いので、この点からも引き金部２５ｂを引く際の支えとして十分な強さを発揮する。
【００１８】
そして溶液タンク部１１の胴体部に可撓性を示す部分があるので、これを任意に押圧すことで、該溶液タンク部１１からの外用液剤吐出量を調節することができ、よって塗布面部材２９への浸潤量（含浸量）を使用者が任意に調節することができる。なお上記の通り胴体部が保形性を有するので、外用液剤が出た後も形を自ら保持しうる。
【００１９】
尚たとえ外用液剤（消毒液１９）を収容する溶液タンク部１１内に気体が入っていても、溶液タンク部１１の開口部１１ｄに貼付するシール材１８のシール強度が十分に強ければ、ガス滅菌の際の減圧によってシール材１８が外れる懸念は殆どない。因みに開口部１１ｄに貼付するシール材１８のシール強度としては１５Ｎ／１５mm以上が好ましい（ＪＩＳ  Ｚ０２３８）。このシール強度であれば、溶液タンク部１１の総体積の１／３以内の気体が封入されていても、ガス滅菌の際の減圧による内外圧差によってシール材１８が外れるという虞が殆どない。
【００２０】
またシール材１８による封止に関し、仮に、例えば従来例[3]の様に硬性の蓋を用いてこれを傾斜させて開けるタイプとした場合では、溶液タンク部１１の全てを可撓性材料で構成すると、蓋を支えられずに外れてしまう懸念があるが、本発明ではシール材１８によって封止しているので、たとえ溶液タンク部１１の全てが可撓性を示すものであっても、しっかりと封止しておくことができる。
【００２１】
上記の様に溶液タンク部１１としては、その全部（筒状頚部１４と胴体部の全部）を、可撓性を示す材料で構成しても良く、更にこの際、前記筒状頚部１４と前記胴体部を一体に構成しても良い。一体構成のものとすれば、製造が簡便となり、製造コストを低減することができる。
【００２２】
加えて本発明の外用液剤塗布具においては、前記筒状頚部１４の軸（軸Ｋ）が、前記胴体部の軸（軸Ｊ）に対して傾斜したものであることが好ましい（後述の図１（ａ）、図３、図６（ａ）参照）。
【００２３】
前記の如く外筒状首部２２のスライド方向、即ち引き金部２５ｂのスライド方向は筒状頚部１４の軸方向であるが、筒状頚部１４と胴体部の軸が傾斜していることで、引き金部２５ｂを胴体部の軸に対して斜めに引くこととなり（後述の図１（ａ）、図７参照）、真っ直ぐに引くよりもその操作がし易くなる。またこの傾斜により、胴体部の軸に対して頭部２１の塗布面（塗布面部材２９の塗布面）が斜めに向くことになり、塗布操作がし易くなる。
【００２４】
この傾斜角度θとしては０〜６０°が好ましく、より好ましくは２０〜４５°である。上記の如く、傾斜していることにより引き金部２５ｂを引く際の操作や消毒液の塗布操作がし易くなるものであるが、角度θが小さすぎるとこの効果があまり発揮されず、角度θが大きすぎるとかえって引き金部２５ｂを引く際の操作や消毒液の塗布操作がし辛くなるからである。
【００２５】
更に本発明の外用液剤塗布具においては、前記頭部２１における前記外筒状首部２２が、前記突き刺し部２５ｃと前記引き金部２５ｂを備えた首本体部材２５と、前記塗布面部材２９を支持する支持部材２３と、前記塗布面部材２９を前記支持部材２３に固定させる固定部材（例えばリング部材２４）とを有するものであることが好ましい（尚以下、このタイプの頭部２１を３パーツタイプと称することがある）。
【００２６】
この３パーツタイプにおける外用液剤塗布具の製造方法としては、前記首本体部材２５に前記支持部材２３を装着し、次いでこの支持部材２３上に前記塗布面部材２９を被覆し、その後、この塗布面部材２９の周囲を覆って前記固定部材（例えばリング部材２４）を前記支持部材２３に装着することが挙げられる。
【００２７】
斯様に３パーツタイプの頭部２１の場合にあっては、接着剤を用いることなく塗布面部材２９（例えばスポンジ）をしっかりと装着することができるので、製造作業を簡素化できる。なお塗布面部材２９の材料としては、スポンジのような多孔質構造物の他、繊維集合体等が挙げられ、外用液剤を保持する空隙を有するものであればいずれのものであっても良い。
【００２８】
また３パーツタイプの外用液剤塗布具において、前記首本体部材２５と、前記支持部材２３と、前記固定部材（例えばリング部材２４）が、ヒンジ２６，２７を介して連接され、これら（外筒状首部）が同一の素材で一体に構成されたものであることが好ましい。斯様に構成すれば、部品点数が少なくなり、製造コストが低廉となる。なお上記素材としてはポリエチレン、ポリプロピレン等の合成樹脂が挙げられる。そしてヒンジ２６，２７の部分を薄肉に構成して良好な可撓性を示すように構成すると良い。
【００２９】
加えて本発明の外用液剤塗布具においては、前記溶液タンク部に、前記外用液剤として消毒液を１〜２００ｍＬ収容したものであることが好ましい。手術前には切開箇所付近を広範囲に消毒することが行われるところ、消毒範囲に応じた量の消毒液を収容しておくことで、過剰な消毒液の使用を防止することが可能となる。
【発明の効果】
【００３０】
本発明に係る外用液剤塗布具によれば、引き金部２５ｂを引くことでシール材１８を穿通して溶液タンク部１１内の消毒液を吐出させることができるので、塗布面に手を触れなくて済む。従って塗布面が手の雑菌等に汚染される懸念がなくなる。しかも塗布面部材２９への消毒液の含浸量を使用者が任意に調節できる。更に減圧工程を経る処理も行うことができるので、外用液剤塗布具にガス滅菌を施すことが可能である。
【発明を実施するための最良の形態】
【００３１】
図１〜３は本発明の一実施形態に係る外用液剤塗布具としての消毒液塗布具１０を示す図であり、図１の（ａ）は側面図、図１の（ｂ）は平面図、図１の（ｃ）は後方からの斜視図で、図２は前方からの斜視図である。図３の（ａ）は図１（ｂ）に示すＡ−Ａ矢視断面図、図３の（ｂ）は図１（ａ）に示すＢ−Ｂ矢視断面図である。なお図２は製品として提供されるときの状態であり、図１，３は使用時の状態である。図６は消毒液塗布具１０の溶液タンク部１１を示す図であり、（ａ）は側面図、（ｂ）は前方からの斜視図、（ｃ）は正面図（（ａ）に示す矢印Ｈからの矢視図）である。
【００３２】
本実施形態の消毒液塗布具１０は溶液タンク部１１と頭部２１からなり、後述の如く溶液タンク部１１に頭部２１を取付可能に構成されている。
【００３３】
溶液タンク部１１は筒状頚部１４と胴体部１７からなり、これらが一連なりとなってその内部に外用液剤（消毒液１９）を収容可能な容器となっている。また筒状頚部１４と胴体部１７は一体成型されたものである。また溶液タンク部１１の素材としては、例えばポリエチレン、ポリプロピレン、ポリエステル、ポリアミド、ポリスチレン、ポリ塩化ビニル、ＥＶＡ、ポリ塩化ビニリデン等が挙げられる。
【００３４】
筒状頚部１４の軸Ｋは、胴体部１７の軸Ｊに対して傾斜している。この傾斜角度θとしては４５°である。
【００３５】
胴体部１７の左側面１１L，右側面１１Rには少し膨らんだ隆起部１５が形成されており、押圧し易くなっている。
【００３６】
筒状頚部１４は、図６に示すように、円筒状の後方頚部１２と、これより外径がやや細い円筒状の前方頚部１３とにより構成されている。また後方頚部１２の外側面には凸部１６が形成されている。この凸部１６の形状は、凸部本体１６ａが高く突出し、先側がこれに比べて低くなっている（低い部分１６ｂ）。
【００３７】
筒状頚部１４の前方頚部１３の端部に形成された開口部１１ｄ、即ち溶液タンク部１１の開口部１１ｄには、シール材１８が貼着されている。溶液タンク部１１内には消毒液１９（外用液剤）が密封状態で収容されており、上記シール材１８によって消毒液１９が漏れ出ないように封止されている。シール材１８はアルミニウム薄膜の表裏面にポリエチレンフィルムを積層したラミネート材により構成され、熱融着により上記封止が行われる。
【００３８】
このシール材１８の材料は引張強度が高く、且つ突刺強さの低いものであり、これにより溶液タンク部１１の内圧に十分耐えて破れることがなく、且つ突き刺し部２５ｃの穿刺により破れ得る。シール材１８の引張強度としては１５Ｎ／ｍｍ以上（ＪＩＳ  Ｚ０２３８）が好ましく、突刺強さとしては３０Ｎ以下（ＪＩＳ  Ｔ８１１５）が好ましい。
【００３９】
シール材１８の材料としては、上記の他、アルミニウム薄膜の表裏面にポリプロピレン、ポリエステル、ポリアミド、ポリスチレン、ポリ塩化ビニル、ＥＶＡ，ポリ塩化ビニリデン等のフィルムを積層させたもの、もしくはアルミ蒸着或いはシリカ蒸着させたポリエチレン、ポリプロピレン、ポリエステル、ポリアミド、ポリスチレン、ポリ塩化ビニル、ＥＶＡ，ポリ塩化ビニリデン等のフィルム等が挙げられる。
【００４０】
次に消毒液塗布具１０の頭部２１について述べる。
【００４１】
頭部２１は、外筒状首部２２と塗布面部材２９からなる（図１〜３）。塗布面部材２９は、消毒液を浸潤可能な例えばスポンジにより構成されている。この塗布面部材２９の材料としては、ウレタンフォームやセルロースフォーム、シリコンフォーム、ポリエチレンフォーム、ポリスチレンフォーム、シリコン、合成ゴム、脱脂綿、不織布等が挙げられ、肉厚の軟らかい板状となっている。
【００４２】
外筒状首部２２は、首本体部材２５と支持部材２３とリング部材（固定部材）２４から構成されている。外筒状首部２２の材料としてはポリエチレン、ポリプロピレン、ポリエステル、ポリアミド、ポリスチレン、ポリ塩化ビニル、ＥＶＡ、ポリ塩化ビニリデン、ポリカーボネート、ＡＢＳが挙げられる。
【００４３】
図５は、外筒状首部２２において上記３つの部材に分解した様子を表す図であり、（ａ）は斜視図、（ｂ）は側面図、（ｃ）は（ａ）に示すＣ−Ｃ線断面の端面図、（ｄ）は（ｂ）に示す矢印Ｍからの矢視図である。図５に示すように、首本体部材２５の両側に支持部材２３とリング部材２４がヒンジ２６，２７を介して連接されている。
【００４４】
首本体部材２５は円筒状の嵌装箇所２５ｆを備え、この嵌装箇所２５ｆの内径が上記溶液タンク部１１の筒状頚部１４の外径と丁度嵌合する大きさであり、上記筒状頚部１４に対して外側から嵌め込めるようになっている（図１，３，５参照）。
【００４５】
嵌装箇所２５ｆの内部には、上記溶液タンク部１１の開口部１１ｄのシール材１８に対向した突き刺し部２５ｃが設けられている。また首本体部材２５には引き金部２５ｂが形成されており、この引き金部２５ｂを矢印Ｆ方向（軸Ｋ方向と同じ）（図１〜３参照）に引くことにより、上記突き刺し部２５ｃがシール材１８を穿刺して破るようになっている。
【００４６】
首本体部材２５の内腔部には、上記筒状頚部１４の開口部１１ｄ側から上記塗布面部材２９側に向かう貫通孔２５ａが形成されている（図３（ｂ）、図５）。更に首本体部材２５における嵌装箇所２５ｆの外面には、孔部２５ｄが形成されており、これと上記筒状頚部１４の凸部１６とにより一対の位置決め部を構成している（図１（ａ），図２，図５）。なお上記孔部２５ｄに換えて、凸部１６と嵌合可能な凹部としても良い。
【００４７】
外筒状首部２２の支持部材２３は塗布面部材２９の台座としての役目をする。支持部材２３の外側面には突起２３ｂが複数形成されており、塗布面部材２９を引っ掛けて固定し易くなっている。また支持部材２３は二重構造となっており、外側台座２３ｃと内側支持部２３ｄにより構成されている。支持部材２３内には上記開口部１１ｄ側から上記塗布面部材２９側に向かう貫通孔２３ａが形成されている（図３，５）。
【００４８】
外筒状首部２２のリング部材２４は塗布面部材２９を外側から固定する部材であり、リング状となっている。
【００４９】
ここで頭部２１の組み立て方法について述べる。図４はこの組み立て方法を説明するための図である。
【００５０】
まず支持部材２３を矢印Ｄ（図５（ｂ）参照）の如く半回転させるようにして首本体部材２５に装着する（図４（ａ））。尚このとき、首本体部材２５の台座部２５ｅに対して支持部材２３の周縁部２３ｅが無理嵌めされるようにして嵌合し、固定される。
【００５１】
次いで支持部材２３を覆うようにして塗布面部材２９（例えばスポンジ）を被覆する（図４（ｂ））。続いてリング部材２４を矢印Ｅ（図５（ｂ）、図４（ｂ））の如く半回転させるようにし、このリング部材２４で塗布面部材２９の周囲を覆いつつ支持部材２３に装着する（図４（ｃ））。塗布面部材２９はリング部材２４と支持部材２３の突起２３ｂによってしっかりと固定されることとなる。支持部材２３の周縁部２３ｅとリング部材２４の周縁部２４ｅには一対の凹部と凸部が設けられており（図示せず）、これらを嵌合させて固定するようになっている。
【００５２】
斯様にして外筒状首部２２に塗布面部材２９が取り付けられ、頭部２１が完成する。
【００５３】
その後、図２のように、この頭部２１の首本体部材２５の嵌装箇所２５ｆに上記溶液タンク部１１の筒状頚部１４を装着し、消毒液塗布具１０が完成する。なお筒状頚部１４は前方頚部１３及び後方頚部１２の先部分が嵌装箇所２５ｆに装入されるのみであって、奥深くは差し込まれず（後述の如く、引き金部２５ｂを引くことで奥深くまで差し込むこととなる）、凸部１６と孔部２５ｄも外れた位置となっている。また頭部２１においてリング部材２４の内腔２４ａ、支持部材２３の貫通孔２３ａ、首本体部材２５の貫通孔２５ａが組み合わさった状態にて、筒状頚部１４の開口部１１ｄからに塗布面部材２９に至る貫通孔が形成される。
【００５４】
なお図９（消毒液塗布具の製造方法の他の例を説明するための側面図）に示すように、先に外筒状首部２２の首本体部材２５を溶液タンク部１１の筒状頚部１４を装着し、その後、上記の如く矢印Ｄ，Ｅの如く半回転させつつ首本体部材２５に塗布面部材２９（図９において図示せず）を取り付けて、頭部２１を完成させるようにしても良い。
【００５５】
上記の様にして得られた消毒液塗布具１０は、一部または全部がガス透過性フィルムで構成された外袋（図示せず）に収容にされ、ガス滅菌が施された後、製品となる。なお溶液タンク部１１内は消毒液１９で密封されているので、ガス滅菌における減圧の際にも内圧によってシール材１８等が破れるということがなく、密封状態が保たれる。
【００５６】
次に消毒液塗布具１０の使用方法について述べる。
【００５７】
図７は使用方法を説明するための斜視図である。また上記の通り図１〜３のうち図２は、製品として提供されるときの消毒液塗布具１０の状態を表しており、図１，３は、消毒液塗布のために使用者が使用するときの消毒液塗布具１０の状態を表している。
【００５８】
使用にあたって先ず使用者は外袋から消毒液塗布具１０を取り出し、溶液タンク部１１の胴体部１７を手３０に持ち、引き金部２５ｂを筒状頚部１４の軸方向（Ｋ）に沿って引く（矢印Ｆ）。するとこれに伴って突き刺し部２５ｃがシール材１８に向かって進み（図３に示す矢印Ｎ）、シール材１８を穿通する。なお溶液タンク部１１は全体が軟質材料で構成されているが、溶液タンク部１１内に消毒液１９が充密され、その内圧で形状を保ち得る上、引き金部２５ｂを引く方向が筒状頚部１４の軸方向（Ｋ）であって、軸方向Ｋの強度は高いので、引き金部２５ｂを引いたときに溶液タンク部１１が腰折れすることなくしっかりと支えて、該引く操作に支障がない。特に本実施形態の溶液タンク部１１は胴体部１７の軸Ｊに対して筒状頚部１４の軸Ｋが傾斜しており、引き金部２５ｂを引く方向（矢印Ｆ）の溶液タンク部１１の長さとしては筒状頚部１４の長さのみで、短いので、一層腰折れの虞が少なく、支障なく引き金部２５ｂを引くことができる。また引き金部２５ｂを引いてシール材１８を破る（穿通する）構成であるから、この操作を片手で行うことができる。加えてこのシール材１８を穿通する操作にあたっては、塗布面部材２９に手を触れなくて済み、塗布面部材２９の清潔を保ち得る。
【００５９】
そして引き金部２５ｂを引くと、上記シール材１８の穿通と同時に、頭部２１の孔部２５ｄも軸方向（Ｋ）に沿って進み（図２に示す矢印Ｇ）、この孔部２５ｄに溶液タンク部１１の凸部１６が無理嵌めするようにして嵌合し（図１（ａ））、頭部２１における首本体部材２５に、溶液タンク部１１における筒状頚部１４が深く装嵌し、しっかりと固定される（図１，３）。尚上記孔部２５ｄと凸部１６は一旦嵌合すると戻らないので、首本体部材２５に筒状頚部１４が深く装嵌した状態のまま抜けない。また凸部１６は段差（凸部本体１６ａ、低い部分１６ｂ）を有する形状であるから、使用前には凸部１６の低い部分１６ｂで頭部２１を固定でき、使用時には引き金部２５ｂをスライドさせて、凸部本体１６ａに孔部２５ｄを嵌合することにより、頭部２１と溶液タンク部１１を固定することができる。
【００６０】
上記の様にしてシール材１８に孔が開くことで、溶液タンク部１１内の消毒液１９は或る程度、外筒状首部２２の貫通孔（内腔２４ａ，貫通孔２３ａ，２５ａが組み合わさった貫通孔）を経て塗布面部材２９に向かうが、更に溶液タンク部１１の胴体部１７を握ることにより、溶液タンク部１１内の消毒液１９を多く吐出することができ、塗布面部材２９に消毒液１９をより多く浸潤させることができる。このとき胴体部１７の握り具合を加減することで、塗布面部材２９への消毒液含浸量を調節することができる。
【００６１】
なお孔部２５ｄと凸部１６の嵌合によって首本体部材２５と筒状頚部１４がしっかりと固定され、首本体部材２５と筒状頚部１４に隙間が殆どないので、溶液タンク部１１の開口部１１ｄが開いたこと（シール材１８の穿通）により消毒液１９が溶液タンク部１１から出ても、消毒液１９が首本体部材２５と筒状頚部１４の間から漏れることが殆どない。
【００６２】
そして使用者は消毒液の浸潤した塗布面部材２９により、患者の皮膚等に消毒液の塗布を行うと良い。なお、溶液タンク部１１が胴体部１７の軸Ｊに対して筒状頚部１４の軸Ｋが傾斜していることから、溶液タンク部１１の胴体部１７の軸Ｊに対して塗布面部材２９の塗布面が斜めに向くようになる。使用者は胴体部１７を手に持って消毒液の塗布操作を行うと想定されるが、上記の通り斜めに向いているので塗布操作がやり易くなる。
【００６３】
なお患者相互間の感染予防の観点から、消毒液塗布具１０は使い捨てにすることが推奨される。
【００６４】
以上、例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【図面の簡単な説明】
【００６５】
【図１】本発明の一実施形態に係る外用液剤塗布具としての消毒液塗布具（使用時の状態）を示す図である。
【図２】本発明の一実施形態に係る消毒液塗布具（製品の状態）を示す斜視図である。
【図３】本発明の一実施形態に係る消毒液塗布具を示す断面図である。
【図４】図１〜３に示す消毒液塗布具における頭部の組み立て方法を説明するための図である。
【図５】図１〜３に示す消毒液塗布具における外筒状首部について、３つの部材に分解した様子を表す図である。
【図６】図１〜３に示す消毒液塗布具における溶液タンク部を示す図である。
【図７】本発明に係る外用液剤塗布具（消毒液塗布具）の使用方法を説明するための斜視図である。
【図８】従来の消毒セットの一例を示す斜視図である。
【図９】本発明に係る外用液剤塗布具（消毒液塗布具）についての製造方法の他の例を説明するための側面図である。
【符号の説明】
【００６６】
１０  消毒液塗布具
１１  溶液タンク部
１４  筒状頚部
１６  凸部
１７  胴体部
１８  シール材
２１  頭部
２２  外筒状首部
２３  支持部材
２３ａ，２５ａ  貫通孔
２４  リング部材（固定部材）
２５  首本体部材
２５ｂ  引き金部
２５ｃ  突き刺し部
２５ｄ  孔部
２６，２７  ヒンジ
２９  塗布面部材
【図１】
2010005003.tif 000003
【図２】
2010005003.tif 000004
【図３】
2010005003.tif 000005
【図４】
2010005003.tif 000006
【図５】
2010005003.tif 000007
【図６】
2010005003.tif 000008
【図７】
2010005003.tif 000009
【図８】
2010005003.tif 000010
【図９】
2010005003.tif 000011